(57)【特許請求の範囲】
【請求項１】
架線に吊り下げた誘引線に沿って、真上に成長するトマトやキウリの立木の栽培方法であって、
提手及び前記トマトやキウリの茎の上部を下向きにＵターンさせる手段が設けられている基板を前記架線に前記提手で吊り下げて、前記トマトやキウリの立木の上方に配設し、前記基板の上面で、前記基板の傍に伸びたトマトやキウリの茎の上部を下に向けてＵターンさせ、該茎を下向きに曲げて成長させることを特徴とするトマトやキウリの栽培方法。
【発明の詳細な説明】
【０００１】
【発明の属する技術分野】
この発明は、トマト、キウリ栽培の労力を軽減させるための栽培方法に関する。
【０００２】
【従来の技術】
通常、トマトは温室内で栽培され、茎に葉が下から３段生えるごとに一段宛果房が付く。従来は地上１．６〜１．８ｍの高さに架線を張り、架線に上端を連結して真下に吊り下げた紐などの誘引線にトマトの茎を所々縛り、真っ直ぐ上向きに成長させていた。この場合、温室の高さが決められているためトマトやキウリの高さが約１．６〜１．８ｍになると茎の上部は温室の天井近くの保温カーテンに当たり、収穫できる果房は約７段位になる。果実の収穫量を増加するには、架線からトマトの木に向かって斜めに誘引し、トマトの茎の所々を誘引線に沿って斜め上向きに伸ばし、これにより茎の長さを長くし、収穫できる果房の段数を多くしていた。
【０００３】
【発明が解決しようとする課題】
茎を斜め上向きに生育させるには、真上に向かって伸びようとする茎を誘引線に沿って留め具で留めて斜めに誘引しなければならないので手数がかゝる。更に、茎は強制的に斜め上向きに生育されるのでストレスによって根は土壌中で浅くしか伸びず、立木の樹勢が悪い。
【０００４】
【課題を解決するための手段】
本発明は、上述の問題点を解消し、茎を真っ直ぐ上向きに成長させながら収穫できる果房の段数を多くするようにしたのであって、架線に吊り下げた誘引線に沿って、真上に成長するトマトやキウリの立木の栽培方法であって、提手及び前記トマトやキウリの茎の上部を下向きにＵターンさせる手段が設けられている基板を前記架線に前記提手で吊り下げて、前記トマトやキウリの立木の上方に配設し、前記基板の上面で、前記基板の傍に伸びたトマトやキウリの茎の上部を下に向けてＵターンさせ、該茎を下向きに曲げて成長させることを特徴とする。
【０００５】
【発明の実施の形態】
図１は、図２、図３の茎曲げ具の使用状況を示すもので、図２，図３において、１０は上部中央に上向きに突出した提手１２を有する茎曲げ具の基板で、提手１２で架線ａに吊り下げると、基板１０はほゞ垂直になる垂直面１１を有する。２０は中心部を上記垂直面１１に枢着した回動体で、回動体にはトマトやキウリの茎を引掛ける引懸部２３を先端部に備えたレバー２２が回動体の外周から外に突出して設けてある。基板１０、回動体２０はプラスチックの成形品でよく、回動体は直径約６０ｍｍ、厚さ約２０ｍｍ程度の浅い皿形の円筒形ないしダイアル形、レバー２２は先端の引懸部２３を回動体の底２１の外面から放射方向に外周より約６５ｍｍ程度突出して回動体と例えば一体に成形する。基板１０の垂直面１１は回動体の直径よりも大で、提手１２は垂直面の上面中央から上に約１００ｍｍ突出し、上端に架線ａに吊り下げるための逆Ｕ字形の吊り下げ部１２′を備えている。
【０００６】
尚、吊り下げ部は例えば図３（Ａ，Ｂ）に１２′，１２″として示したように十字形に設け、前後方向の架線ａ1 にも、左右方向の架線ａ2 にも下げられるようにしてもよい。又、レバー２２は回動体２０とは別体に成形し、回動体の底２１の外面にレバーを摺動可能に通すコ字形断面の挿通部２１′を設け、この挿通部にレバーを通してネジ２１″で固定し、レバーの先端の引懸部２３がダイアルの外面から放射方向に突出する長さを調節できるようにしてもよい。更に、基板１０の下端には孔１０′を開設し、誘引線をこの孔に通して縛るか、誘引線に取付けたフックをこの孔１０′に掛け、誘引線を基板の下端から下げるようにしてもよい。又、回動体は図示の円筒形のダイアル形に限定されず、多角形や楕円形の筒形でもよい。
【０００７】
図２の茎曲げ具は基板の垂直面１１に中心筒１３と同心の環状隆起部１４を設け、環状隆起部の表面に円周方向に密接した鋸歯１５が形成してある。回動体２０は上記環状隆起部１４に回転可能に被される。回動体の底２１の内面には環状隆起部の表面の鋸歯１５と噛合う鋸歯２４が円周方向に密接して設けてある。
【０００８】
回動体２０を基板の環状隆起部１４に被せ、回動体の底の中心孔２１ａを通じ基板の中心筒１３にビス１を挿通し、中心筒から外に突出したビスの先端部にコイルバネ２を嵌め、ナット３を締付けると、基板の環状隆起部１４の表面と回動体の底２１の内面とはコイルバネ２を介して弾力的に接触し、基板の垂直面に対して回動体２０は組立てられ、鋸歯１５と２４は噛合う。鋸歯１５と２４の噛合いによって、回動体２０の鋸歯２４は、コイルバネの弾力に抗して基板の垂直面から離れる方向に動きながら基板の鋸歯１５を１つ宛乗り越え、こうして回動体２０はレバー２２と一体に例えば矢印の時計方向に回転できるが、その反対の反時計方向には回転不能である（図２Ａ，Ｃ参照）。尚、レバーのコ字形の引懸部２３は回動体の回動方向に向けて設けある。
【０００９】
図３の茎曲げ具は基板の垂直面１１に中心筒１３と同心の円形隆起部１６を設け、この円形隆起部１６の表面に円周方向に等間隔に例えば９０°の位相で４つの盲孔１６′を形成し、各盲孔の中にはコイルバネ１７と、該コイルバネにより該円形隆起部の表面の外に一部が押出されるボール１８を収容する。回動体２０は上記円形隆起部１６に回転可能に被される。回動体の底２１の内面には、円形隆起部の表面の複数の盲孔中に収容されたボール１８の一部が嵌まる凹球部２５が円周方向に所定の間隔で設けてある。例えば、ボール１８が９０°の位相で設けられた盲孔中に収容されている場合、凹球部２５は９０°の位相の１／２の４５°、１／３の３０°、１／４の２２．５°で設けられ、回動体を時計方向、又は反時計方向に所定角度、回動すると、４つのボール１８は回動体の底の内面の所定の凹球部２５に係合する。
【００１０】
回動体２０を基板の円形隆起部１６に被せ、回動体の底の中心孔２１ａを通じ基板の中心筒１３にビス１を挿通し、中心筒から外に突出したビスの先端部にコイルバネ２を嵌め、ナット３を締付けると、基板の円形隆起部１６の表面の各盲孔１６′から外に突出したボール１８の一部は回動体の底２１の内面の円周方向に形成された凹球部２５に係合し、基板の垂直面に対して回動体２０はレバー２２と一体に時計方向、又は反時計方向の両方向に回転可能に組立てることができる（図３Ａ，Ｄ参照）。回動体２０をレバー２２と一体に時計方向又は反時計方向に回動するには、コイルバネ２の弾力と、盲孔中に収容した各ボール１８を押圧するコイルバネ１７の押圧力に抗して回動体の底板２１の内面を基板の円形隆起部１６の表面から離さねばならないので或る程度の力を要する。尚、レバー２２は回動体と一体に時計方向にも、反時計方向にも回動可能であるため、引懸部２３はＨ形に形成し、回動体をどちらの方向に回動してもトマトやキウリの茎にレバーを作用できるようにしてある。
【００１１】
図２の実施形態の基板１０は、上半部１０ａが回動体２０の半径（約３０ｍｍ）よりも可成り大きい半径５５ｍｍ程度、下半部１０ｂは回動体の半径よりも少し大きい約３５ｍｍで、上半部と下半部とは同心である。このため、上半部１０ａの左右の下端部（左右両脇）には一対の爪１９，１９を設け、爪の間に茎を保持するようにしてある。又、上面中央には提手１２の下端部と協力して茎を保持するための保持爪１９′が上向きに設けてある。
【００１２】
図３の実施形態の基板１０は、ほゞ正方形の菱形で、左右の両脇には一対の爪１９，１９を設け、爪の間に茎を保持するようにしてある。又、上面中央には提手１２の下端部と協同して茎を保持するため保持爪１９′が上向きに短く設けてある。
【００１３】
各基板の左右両脇の一対宛の爪１９，１９は図示のように上下方向に少し喰い違わせておくと茎を保持し易い。同様に、上向きの短い保持爪１９′も提手１２から左右に少し喰い違わせておくと茎を保持し易い。又、回動体２０の回りに窪みを図示の如く円周方向に短い間隔で離して設けておくと、回動体を滑らずにつかめるため回し易い。
【００１４】
使用するには高さ１．６〜１．８ｍの位置に張り渡した架線ａから真っ直ぐに吊り下げた誘引線ｂに、洗濯挟み形の留め具でトマトやキウリの茎の所々を留め、茎を誘引線に沿って真上に成長させる（図１Ａ）。茎の上部が架線ａや、その上のほゞ水平な保温カーテンｃに届くようになったら茎の上部の近くに位置させて架線に提手１２で茎曲げ具を吊り下げ、基板の垂直面１１を垂直に向ける。勿論、茎曲げ具を架線に当初から吊下げ、前述したように誘引線を基板の下端部から吊り下げ、トマトやキウリの茎の所々をこの誘引線に留めて真上に成長させてもよい。
【００１５】
図２の茎曲げ具では回動体２０とレバー２２は基板に対して時計方向にしか回動することができないので、茎を回動体２０よりも左の基板の垂直面に沿って延ばし、茎を引懸部２３に引懸け、回動体２０とレバー２２を時計方向に９時の状態から１２時の状態に回動して茎を真上から斜め上向きに曲げ（図１Ｂ）、茎が更に成長するとレバーを１２時の状態から時計方向に３時又はそれ以降の状態に回動し（図１Ｃ）、茎を回動体２０の回りで１８０°曲げる。これによって、トマトやキウリは真上に向かって伸びようとしてもレバーを反時計方向に回動させることができないので、真上に向かって成長しているつもりでも、茎の上部は下向きにＵターンし、下向きになった茎の上部は、そこに成った果実の重量で下向きに成長する。尚、基板１０の左右の両脇に一対の爪１９，１９を設け、又、提手１２の下端部と協力する保持爪１９′を設けておくと、茎を爪の間に保持することができるため、回動体２０の回りに沿って茎を曲げ易い。
【００１６】
又、図３の茎曲げ具の場合は、回動体２０とレバー２２は基板に対して時計方向にも、反時計方向にも回動可能であるため、茎が回動体２０よりも左又は右のどちらの基板の垂直面に沿って上向きに成長して来たら、回動体とレバーを時計方向、又は反時計方向のどちらかの方向に回動し、茎の上部をＵターンさせて下向きにすることができ、下向きになった茎に成る果実の重さで茎の上部は下向きに成長する。尚、茎が上向きに伸びようとする力で回動体とレバーは回動することはない。この場合も、基板の左右の両脇に設けた一対の爪１９，１９、提手１２の下端部と協力する保持爪１９′によって茎のＵターン部を爪の間に保持し、茎は回動体の回りに沿ってスムースにＵターンさせることができる。
【００１７】
図４以降に使用可能な簡易な茎曲げ具を示す。そして、基板３０は図２，図３に示した茎曲げ具の基板と同様に垂直面１１と、提手１２を有し、必要ならば左右の側面の爪１９，１９、及び上向きの爪１９′を設けて茎を保持できるようにする。又、誘引線を下げる孔１０′を設けてもよい。
【００１８】
図４の基板３０の垂直面１１は上向きの半円形で、その右半周の円弧面３１に沿い垂直面には所定の間隔で、レバー４１の基部（下端部）に設けた突起４２を押込むための孔３２が設けてある。レバー４１は図示したように直線状の棒形で、自由端（上端部）に茎の上部を基板の円弧面３１に沿わせる折曲部４３を備えている。基板３０とレバー４１は例えばプラスチックの成形品であるが、木製であってもよい。
【００１９】
茎が基板の垂直面の左側に沿って伸びてきたら、垂直面の上面に沿って茎を右向きに曲げ、必要ならば爪１９，１９′で茎を保持する。茎が提手１２を越えて右に伸びて来たらレバー４１の基部の突起４２を左端の孔３２に押込み、レバーを図４（Ａ）の時計のほゞ午後１〜２時の状態に保持し、レバーの折曲部４３により茎の先端部を基板の左半周の円弧面３１上に留める。茎が右向きに成長するにつれてレバーを右隣の孔３２に順次押込み直し、茎の上部を基板の垂直面の上面に沿わせ、茎を垂直面の上面の右半周の円弧面から下に向けてＵターンさせ、下向きに成長させる。
【００２０】
茎の上部が上向きに伸びようとする力によって孔３２に下端の突起４２を押込んだレバー４１が上向きに回動させられるのを防止するため、孔３２と突起４２は円形以外の形状、例えば多角形にする。これによりレバー４１を次々に右の孔３２に取付け直し、成長する茎の上部を基板の垂直面１１の上面に沿って下向きに曲げ、Ｕターンさせることができる。
【００２１】
図５の基板３０は垂直面１１に右半周に沿ってレバー４１を差込むためのほゞ放射状の挿入孔３３が所定の間隔を保って設けてある。レバー４１は図４のものとほゞ同じで、下端に突起４２を備えていない点で異なっている。この茎曲げ具の場合も、茎が基板の垂直面の左側に沿って伸びて来たら、基板の上面に沿って茎を右向きに曲げ、必要ならば爪１９，１９′で茎を保持する。茎が提手１２を越えて右に伸びて来たら、レバー４１を左端の挿入孔３３に落し込み、レバーの上端の折曲部４３で茎の先端部を基板の左半周の円弧面３１上に抑えて留める。茎が右向きに成長するにつれてレバー４１を順番に右の挿入孔３３に移して落し込む。挿入孔３３は右のものほど水平に近くなるので、茎の先端部が真上に向かって伸びようとしてもレバーは挿入孔から上に抜け出ることはない。こうして、成長する茎の上部をレバーの折曲部により基板の垂直面の上面に沿わせ、茎を基板の上面の右半周の円弧面から下に向けてＵターンさせ、下向きに成長させることができる。尚、複数の挿入孔３３を有する基板の右半周は、左半周よりも厚く成形するとよい。又、挿入孔３３に挿入したレバー４１が回動するのを防止するため、挿入孔とレバーの断面形状は円形以外にすることが好ましい。
【００２２】
図６の基板３０の垂直面１１には回動レバー４４が枢着してあり、回動レバーの自由端の折曲部４３は垂直面１１の右半周に沿って移動可能である。そして、基板の垂直面の右半周に沿って所定の間隔でストッパ４５の取付孔３４が設けてある。この茎曲げ具の場合も、茎が基板の垂直面の左側に沿って伸びて来たら、回動レバー４４を図６（Ａ）の時計のほゞ１３〜１４時の状態にし、レバー４４が茎によって反時計方向に回動させられるのを防ぐため、回動レバー４４の左隣の取付孔３４にストッパ４５を挿入する。茎が右向きに成長するにつれ、回動レバーを時計方向に回動し、ストッパをレバーの左隣の取付孔３４に順番に挿入み直す。こうして、成長する茎の上部をレバーの折曲部により基板の垂直面の上面に沿わせ、茎を基板の上面の右半周の円弧面から下に向けてＵターンさせ、下向きに成長させることができる。
【００２３】
【発明の効果】
以上で明らかなように本発明によれば、真上に向かって成長するトマトやキウリの茎の上部を、折損することなくスムースに下に向けてＵターンさせて茎を下向きに曲げて成長させ、果房が成る段数を多くし、果実の収穫量を高めることができる。そして、立木は真上に向かって成長しているつもりなので、土壌中で根はストレスもなく地中深く伸び、樹勢は頗る良好で、健康的に生長し、果実を長期間収穫できる。
【図面の簡単な説明】
【図１】（Ａ）は苗を植え付け、トマトの茎が架線の高さまで成長した状態の説明図、（Ｂ）は成長したトマトの木の上部を茎曲げ具により曲げた初期の状態の説明図、（Ｃ）は成長したトマトの木の上部を茎曲げ具により更に大きく曲げた状態の説明図である。
【図２】（Ａ）は茎曲げ具の第１実施形態の正面図、（Ｂ）は同上の分解状態の斜視図、（Ｃ）は基板に対して回動体が回動する状態を示す説明図である。
【図３】（Ａ）は茎曲げ具の第２実施形態の正面図、（Ｂ）は同上の分解状態の斜視図、（Ｃ）は同上の要部の組立状態の拡大断面図、（Ｄ）は基板に対して回動体が回動する状態を示す説明図である。
【図４】（Ａ）は茎曲げ具の第３実施形態の使用状態の説明図、（Ｂ）は同上の分解斜視図である。
【図５】（Ａ）は茎曲げ具の第４実施形態の一部を断面にした使用状態の説明図、（Ｂ）は同上の分解斜視図である。
【図６】（Ａ）は茎曲げ具の第５実施形態の使用状態の説明図、（Ｂ）は同上の分解斜視図である。
【符号の説明】
ａ    架線
ｂ    誘引線
ｃ    保温カーテン
１    ビス
２    コイルスプリング
３    ナット
１０    基板
１１    基板の垂直面
１２    提手
１２′  提手の吊り下げ部
１３    基板の中心筒
１４    基板の環状隆起部
１５    鋸歯
１６    基板の円形隆起部
１６′  盲孔
１７    コイルバネ
１８    ボール
１９    茎の保持爪
２０    回動体
２１    回動体の底
２１ａ  底の中心孔
２２    レバー
２３    レバーの引懸け部
２４    鋸歯
２５    凹球部
３０    基板
３２    レバー取付け用の孔
３３    レバーの挿入孔
３４    ストッパの取付孔
４１    レバー
４３    レバーの折曲部
４４    回動レバー
４５    ストッパ
【図１】
0003940494.tif 000002
【図２】
0003940494.tif 000003
【図３】
0003940494.tif 000004
【図４】
0003940494.tif 000005
【図５】
0003940494.tif 000006
【図６】
0003940494.tif 000007